(57)【要約】【課題】母親の胎内音を空気を媒体とする気導音として乳幼児に直接聞かせるのではなく、メモリーに格納した胎内音の音源データを無音の音再生信号として乳幼児用枕に伝達するために、乳幼児のみが鮮明に胎内音を聞き取れ、しかも、耳に障害がある乳幼児にも聞き取りが期待される乳幼児の寝つかせ方法を提供する。【解決手段】メモリーを内蔵しそれに格納される音源データを音再生信号として出力できる音源再生プレーヤーと、骨振動スピーカーを内蔵した乳幼児用枕とを使用し、音源再生プレーヤーにおいてメモリーに母親の胎内音を音源データとして格納しておき、それを音再生信号に変換して乳幼児用枕の骨振動スピーカー装置に発信し、該スピーカーで胎内音として聞き取れるよう骨振動させる。【選択図】図１
2007159795.tif 000002
【特許請求の範囲】
【請求項１】
メモリーを内蔵しそれに格納される音源データを音再生信号として出力できる音源再生プレーヤーと、骨振動スピーカーを内蔵した乳幼児用枕とを使用し、音源再生プレーヤーにおいてメモリーに母親の胎内音を音源データとして格納しておき、それを音再生信号に変換して乳幼児用枕の骨振動スピーカー装置に発信し、該スピーカーで胎内音として聞き取れるよう骨振動させることを特徴とする乳幼児の寝つかせ方法。
【請求項２】
音源再生プレーヤーにはＰＣ３プレーヤーを使用し、そのＰＣ３プレーヤーと乳幼児用枕との間に赤外線トランスミッターを送信機として介在させ、ＰＣ３プレーヤーの音再生信号の出力口に赤外線トランスミッターへの送信コードを接続し、送信コードで受けた音再生信号を赤外線トランスミッターから骨振動スピーカー装置へ赤外線通信により送信し、骨振動スピーカー装置では、赤外線で受けた音再生信号を電気信号に変調して骨振動スピーカーを起動させることを特徴とする請求項１記載の乳幼児の寝つかせ方法。
【発明の詳細な説明】
【技術分野】
【０００１】
この発明は、生後５ヵ月程度までの乳幼児の夜泣きやぐずりを防止し安眠を促進できる乳幼児の寝つかせ方法に関する。
【背景技術】
【０００２】
「寝る子は育つ」という諺にもあるように、乳幼児は一日の大半を眠って過ごす。生後１ヵ月くらいまでは昼も夜も関係がなく、欲求があれば夜中にも時々泣き声でそれを親に知らせ、これで親は授乳をしたりおむつを替えたりすることになるが、生後１ヵ月後は朝まで眠ることになる。しかし、何らかの原因で殊に不安やストレスにより、夜泣きをしたりぐずついたりし、また、良く眠れないでいることがある。
【０００３】
このような不都合を防止するために、従来、母親の胎内音を聞かせる製品が提供される。例えば、商品名で「ねんねこりん」（明治乳業）、「すやすやベビーくまのブーさん」等のすやすやベビーシリーズ（ＴＯＭＹ）が挙げられる。これらの商品は、音源として母親の胎内音そのもの、もしくは、疑似音（胎内音と総称する）をスピーカーで気導音として外部に出力する機能を有するモジュールと、ぬいぐるみとを組み合わせたものであった。
【発明の開示】
【発明が解決しようとする課題】
【０００４】
上記のような従来の製品によれば、母親の胎内音を空気を媒体とする気導音として乳幼児に聞かせることから、乳幼児にとっては他の音との混同を生じ胎内音をはっきり聞く障害となりやすく、また、乳幼児以外にはその音が騒音として聞こえることになる。しかも、乳幼児に胎内音を聞かせるとその他の音は聞こえにくくなるので、例えば危険察知が遅れることになる危険があった。また、耳に障害がある乳幼児には効果が期待できないという問題もあった。
【０００５】
この発明は、上記のような実情に鑑みて、母親の胎内音を空気を媒体とする気導音として乳幼児に直接聞かせるのではなく、メモリーに格納した胎内音の音源データを無音の音再生信号として乳幼児用枕に伝達するために、乳幼児のみが鮮明に胎内音を聞き取れ、しかも、耳に障害がある乳幼児にも聞き取りが期待される乳幼児の寝つかせ方法を提供することを課題とした。
【課題を解決するための手段】
【０００６】
上記の課題を解決するために、この発明は、メモリーを内蔵しそれに格納される音源データを音再生信号として出力できる音源再生プレーヤーと、骨振動スピーカーを内蔵した乳幼児用枕とを使用し、音源再生プレーヤーにおいてメモリーに母親の胎内音を音源データとして格納しておき、それを音再生信号に変換して乳幼児用枕の骨振動スピーカー装置に発信し、該スピーカーで胎内音として聞き取れるよう骨振動させることを特徴とする乳幼児の寝つかせ方法を提供する。
【０００７】
乳幼児の寝つかせ方法を上記のように構成したから、乳幼児用枕に頭をのせて寝かせておいた際に、乳幼児が夜泣きをしたりぐずついたり、安眠しないでいるのを見たときに、骨振動スピーカーを起動させると、乳幼児は臍帯血流音や鼓動音の胎内音を他の気導音の障害を受けることなく鮮明に聞き取ることになり、胎内にいたときの記憶からこれで安心して寝つくことになる。
【０００８】
さらに、音源再生プレーヤーから骨振動スピーカー装置に送信されるのは無音の音再生信号であるので、乳幼児以外の者がそれを騒音として聞くというようなことはない。しかも、再生される胎内音は、空気を介さないで、鼓膜も関与しない骨から直接蝸牛以降の聴覚神経に伝播するので、耳に障害がある乳幼児も胎内音を聞き取ることができる。
【０００９】
また、請求項２に記載のように、音源再生プレーヤーにはＰＣ３プレーヤーを使用し、そのＰＣ３プレーヤーと乳幼児用枕との間に赤外線トランスミッターを送信機として介在させ、ＰＣ３プレーヤーの音再生信号の出力口に赤外線トランスミッターへの送信コードを接続し、送信コードで受けた音再生信号を赤外線トランスミッターから骨振動スピーカー装置へ赤外線通信により送信し、骨振動スピーカー装置では、赤外線で受けた音再生信号を電気信号に変調して骨振動スピーカーを起動させることにすれば、乳幼児用枕における骨振動スピーカー装置における受信が無線の赤外線通信によるので、乳幼児がコードに絡むというような危険がなくなる。また、この場合は、既存装置を利用できることになる。
【発明の効果】
【００１０】
以上説明したように、この発明によれば、乳幼児が母親の胎内にいたときの快適な記憶としての胎内音を聞かせて寝つかせるものであるが、それを空気を媒体とする気導音として乳幼児に直接聞かせるのではなく、無音の信号を介して伝達するので、他の音の混入による聴取の障害が少なく、乳幼児にとっては、安心しやすいように母親の胎内音を鮮明に聞き取りやすく、そのため眠りを誘う胎内音効果が顕著にあらわれ、また、危険察知の遅れを解消できる。しかも、他の者には騒音となることはなく、耳に障害がある乳幼児にも聴取が期待されるという優れた効果がある。
【００１１】
加えて、請求項２によれば、音源再生プレーヤーから乳幼児用枕への音再生信号が赤外線通信となるので、配線による場合とは違って、乳幼児用枕がコードに絡む危険がなく、また、既存の装置の組み合わせにより実施できるという利点がある。
【発明を実施するための最良の形態】
【００１２】
この発明の実施形態をまず図１ないし図３について示す。その概要は次の通りである。
（１）胎内の臍帯血流音、鼓動音の両方を同時に又は一方を胎内音の音源として採取する。
（２）それにはパーソナルコンピュータによりその音源を取り込み、ＭＰ３形式に変換する。
（３）メディアへそれを保存する。なお、メディアにはＳＤメモリーカード、メモリースティック、フラッシュカード等が使用される。
（４）それらのうちから選択したメディアの音源を読み込みが可能なインターフェースを有し音再生信号に変調できる器機、例えば、ＰＣ３プレーヤーを使用する。この器機を音源再生プレーヤー３と称することにする。
（５）その音源再生プレーヤー３を起動して胎内音の音源データを音再生信号に変換し、赤外線トランスミッター等の送信機５を介して、乳幼児用枕１に内蔵される骨振動スピーカー２，２の装置に送信し骨振動として再生する。
（６）骨振動スピーカー２，２を内蔵した乳幼児用枕１に頭部をのせている乳幼児は、臍帯血流音、鼓動音を鮮明に聞くことができ、安心し安眠へと誘われる。
以下に具体的に実施形態を説明する。
【００１３】
図１ないし図３は、一実施形態を示し、音源再生プレーヤー３としては、前記の如く一般的に市販されているＰＣ３デジタルオーディオプレーヤー（ＰＣプレーヤー）が用いられ、そのメモリーに臍帯血流音と鼓動音の音源データを格納して使用する。ＰＣ３プレーヤーは、イヤホーンにより音楽やＦＭラジオを聞くために出力口１２を備えているので、出力口１２への差し込みにより、送信機５との間を送信コード６で接続される。
【００１４】
音源再生プレーヤー３は、ＰＣ３プレーヤーに限られることはなく、骨振動スピーカー２，２に音再生信号を発信できるものであれば良い。それには次のようなものが他の例として挙げられる。
【００１５】
（１）他の実施形態として図４に示すように、音源再生プレーヤー３を、ＰＣ３形式音源再生装置３ａと、乳幼児用枕１への送信機５を組み合わせた一体の装置とする。この場合、送信機５による送信手段は、赤外線トランスミッターであっても良いし、電波であっても良い。しかし、赤外線トランスミッターによるときは、乳幼児に有害な電磁波の影響がほとんどない点で望ましい。
【００１６】
（２）他の実施形態として図５に示すように、音源再生プレーヤー３と乳幼児用枕１との間をコード１４で接続し、音源再生プレーヤー３でメモリーに格納される音源データを音再生信号に変換し、直接コード１４にて乳幼児用枕１に送信する。しかし、このようにした場合には、コード１４が乳幼児に絡むおそれがあるので、この点でも赤外線通信によることが望ましい。
【００１７】
送信機５に赤外線トランスミッターが使用される場合には（図１）、これは、音源再生プレーヤー３から送信コード６により送られた電気信号に応じ、発行素子により赤外線のデジタルパルス信号を発する。なお、図示では丸形であるが形状は様々となる。
【００１８】
乳幼児用枕１は、中央部に左右一対において、骨振動スピーカー２，２を内蔵したもので、送信機５が赤外線トランスミッターである場合には、枕１におけるスピーカー装置については、一端に受光部２ａを有し、そこから受けた赤外線信号を電気信号に変換する変調装置２ｂを備えている。１８は蓄電器である。また、骨振動スピーカー２については、電気信号をボイスコイルに印加し磁石の力で振動板を振動させ、それを乳幼児の頭に伝えうるようにしたものが使用される（例えば、特許２９６７７７号公報を参照）。なお、骨振動スピーカー装置ばかりでなく、音源再生プレーヤー３や送信機５の起動力には充電による電力が使用される。
【図面の簡単な説明】
【００１９】
【図１】この発明の乳幼児の寝つかせ方法に使用する装置の使用状態を示す斜視図である。
【図２】同実施形態における乳幼児用枕の平面図である。
【図３】同実施形態における装置相互間の説明図である。
【図４】他の実施形態における装置相互間の説明図である。
【図５】さらに他の実施形態における装置相互間の説明図である。
【符号の説明】
【００２０】
１  乳幼児用枕
２  骨振動スピーカー
２ａ  骨振動スピーカー装置を構成する受光部
２ｂ  骨振動スピーカー装置を構成する変調装置
３  音源再生プレーヤー（ＰＣ３プレーヤー）        
５  送信機（赤外線トランスミッター）
６  送信コード
１２  出力口
【図１】
2007159795.tif 000003
【図２】
2007159795.tif 000004
【図３】
2007159795.tif 000005
【図４】
2007159795.tif 000006
【図５】
2007159795.tif 000007